(57)【要約】      （修正有）【課題】鼠が、地面から家屋の壁面や竪樋を駆け上がり、家屋内の通気用空間への侵入を完全に防止することができる鼠侵入防止器具を提供する。【解決手段】壁面が交わる角壁部分には、金属板を用いたくの字状の角壁用部材と、配管類の周囲部分には、金属板を前記配管類の形状に加工した配管類用部材と、配管類の背後の壁面部分には、金属板を用いた壁用部材とを含む。【選択図】図１
0003168481.tif 000002
【実用新案登録請求の範囲】
【請求項１】
鼠が、地面から家屋の壁面や配管類を駆け上がり、家屋内の通気用空間への侵入を防止するための鼠侵入防止器具において、
前記壁面が交わる角壁部分には角壁用部材が設けられており、
前記配管類の周囲部分には配管類用部材が設けられており、
前記配管類の背後の壁面部分には壁用部材が設けられており、
前記角壁用部材、前記配管類用部材及び前記壁用部材には金属板が用いられている
ことを特徴とする鼠侵入防止器具。
【請求項２】
鼠が、地面から家屋の壁面や配管類を駆け上がり、家屋内の通気用空間への侵入を防止するための鼠侵入防止器具において、
前記壁面が交わる角壁部分には角壁用部材が設けられており、
前記配管類の周囲部分には配管類用部材が設けられており、
前記配管類の背後の壁面部分には壁用部材が設けられており、
前記配管類用部材には金属板が用いられており、
前記角壁用部材及び前記壁用部材にはガラス板が用いられている
ことを特徴とする鼠侵入防止器具。
【請求項３】
前記金属板は、ステンレス鋼板である
ことを特徴とする請求項１又は請求項２記載の鼠侵入防止器具。
【請求項４】
前記角壁用部材、前記配管類用部材及び前記壁用部材は、それぞれの上端が地面から約１メートル以上の位置に設けられている
ことを特徴とする請求項１、請求項２又は請求項３記載の鼠侵入防止器具。
【請求項５】
前記角壁用部材、前記配管類用部材及び前記壁用部材は、それぞれの上端が地面から約１．５メートル以上の位置に設けられている
ことを特徴とする請求項１、請求項２又は請求項３記載の鼠侵入防止器具。
【考案の詳細な説明】
【技術分野】
【０００１】
本考案は、鼠が、地面から家屋の壁面や、雨水用の竪樋及びエアコン冷媒用配管などの配管類を駆け上がり、家屋内の通気用空間に侵入するのを防止するための鼠侵入防止器具に関するものである。
【背景技術】
【０００２】
図４に示されるような一般的な住宅１０は、家屋内の屋根裏空間等に湿気を滞留させないようにするために、屋根１と天井裏間に通気用の空間（以下において、通気用空間と呼ぶ。）を設けて通気を確保している。
【０００３】
しかし、このような通気用空間を設けると、鼠がこの通気用空間に侵入して巣を作る場合がある。すなわち、鼠は、地面６から家屋の壁面５や、雨水用の竪樋２及びエアコンの断熱材が巻かれている冷媒用配管（図示せず。）などの配管類を駆け上がり、屋根１と壁面５などの隙間部分から家屋内の通気用空間に侵入するためである。
【０００４】
鼠が、ひとたびこの通気用空間に侵入して巣を作ると、騒音による睡眠不足やイライラ感、さらには糞尿による異臭やダニの発生などの不衛生面から住民の生活が脅かされることになる。
【０００５】
ここで、通気用空間に侵入し、巣を作った鼠を殺虫剤によって駆除する方法がある。しかし、殺虫剤による鼠の死骸をそのままの状態で放置しておくと悪臭がするために、死亡した場所を探しあててその死骸を撤去しなければならない。特に、鼠の死骸が手の届きにくい場所であるとすると、死骸の撤去作業が容易ではなく大変な苦労を要することになる。
【０００６】
この改善策として、特許文献１のように鼠が駆け上がる竪樋２の周囲部分に、帯状板にＶ字状の刃部を有する鼠侵入防止器具を設ける考案がされている。
【０００７】
しかし、この鼠侵入防止器具は、鋭利なＶ字状の刃部を有しており、住宅１０の竪樋２の周囲部分に設置すると住民自身が怪我をするおそれがあることや、外観上も威圧感や恐怖感を与えるために好ましくない。
【０００８】
一方、特許文献２のように、針状をした突起物を有する鼠阻止器を通気用空間のあちらこちらに設置しておく発明がされている。すなわち、鼠の通り道にあらかじめ鼠阻止器を設置しておいて、鼠がそれに当たると針状をした突起物が体に刺さるものであり、その結果、鼠がそれを嫌らって屋外に逃げ出すように仕向けるものである。
【０００９】
しかし、鼠は学習能力に優れており、次第にこの鼠阻止器を避けて通過するようになる。また、時間の経過とともに住民自身が鼠阻止器を設置したことを忘れてしまい、屋根裏の修理等で暗い通気用空間に立ち入った際に、この鼠阻止器に指などが触れて、怪我をするおそれがあるので安全面からも好ましいものではない。
【先行技術文献】
【特許文献】
【００１０】
【特許文献１】登録実用新案第３１０５６７０号公報
【特許文献２】特開２００２−３４４２９号公報
【考案の概要】
【考案が解決しようとする課題】
【００１１】
上述したように、家屋内に鼠が侵入するのを防止するための器具が種々検討されてはいるものの、現在のところ住民にとって安全であり、かつ実効性のある方策が見出されていないのが実情である。
【００１２】
そこで、本考案は、家屋内への鼠の侵入を完全に防止することができるとともに、住民にとって安全であり、装着も容易であり、かつ外観上も好ましい構造の鼠侵入防止器具の提供を目的としている。
【課題を解決するための手段】
【００１３】
本考案は、上記した問題点の解決を目的とするものである。
【００１４】
請求項１に記載した考案は、鼠が、地面から家屋の壁面や配管類を駆け上がり、家屋内の通気用空間への侵入を防止するための鼠侵入防止器具において、前記壁面が交わる角壁部分には角壁用部材が設けられており、前記配管類の周囲部分には配管類用部材が設けられており、前記配管類の背後の壁面部分には壁用部材が設けられており、前記角壁用部材、前記配管類用部材及び前記壁用部材には金属板が用いられていることを特徴としている。
【００１５】
本考案の鼠侵入防止器具を用いると、鼠の侵入を完全に防止することができる。また、本考案の鼠侵入防止器具は住民にとっても安全であり、装着も容易であり、外観上も好ましい構造となっている。加えて、本考案に係わる鼠侵入防止器具は、メンテナンスが容易であることや、構造が簡単であり、部品数も少ないので安価な費用で製造をすることができる。
【００１６】
請求項２に記載の考案は、鼠が、地面から家屋の壁面や配管類を駆け上がり、家屋内の通気用空間への侵入を防止するための鼠侵入防止器具において、前記壁面が交わる角壁部分には角壁用部材が設けられており、前記配管類の周囲部分には配管類用部材が設けられており、前記配管類の背後の壁面部分には壁用部材が設けられており、前記配管類用部材には金属板が用いられており、前記角壁用部材及び前記壁用部材にはガラス板が用いられていることを特徴としている。
【００１７】
請求項２に記載の考案によると、角壁用部材及び壁用部材として請求項１に記載した金属板に換えてガラス板を用いるようにしている。角壁用部材及び壁用部材としてガラス板を用いると、金属板を用いた場合のように凹面鏡となるような場合は考えにくく、太陽の反射光によって火災を起こす心配もない。
【００１８】
請求項３に記載の考案は、請求項１又は請求項２に記載した考案において、金属板としてステンレス鋼板を使用することを特徴としている。
【００１９】
金属板としてステンレス鋼板を用いているので滑りやすく、耐久性に優れており、メンテナンスの必要もない。
【００２０】
請求項４に記載の考案は、請求項１、請求項２又は請求項３に記載した考案において、前記角壁用部材、前記配管類用部材及び前記壁用部材は、それぞれの上端が地面から約１メートル以上の位置に設けられていることを特徴としている。
【００２１】
本考案者による観察結果から、鼠がジャンプできるのは地面から１メートル弱であると観察されたためである。
【００２２】
請求項５に記載の考案は、請求項１、請求項２又は請求項３に記載した考案において、前記角壁用部材、前記配管類用部材及び前記壁用部材は、それぞれの上端が地面から約１．５メートル以上の位置に設けられていることを特徴としている。
【００２３】
本考案者による観察結果から、鼠が到底ジャンプできない程度の位置として、より好ましくは地面から１．５メートルと想定されたためである。
【考案の効果】
【００２４】
本考案の鼠侵入防止器具を用いると、家屋内への鼠の侵入を完全に防止することができる。また、住民にとって怪我をするおそれもなく安全な構造であり、家屋への装着も容易であり、外観上も好ましい形状となっている。
【００２５】
加えて、本考案に係わる鼠侵入防止器具は、メンテナンスが容易であることや、構造が簡単であり部品数も少ないために安価な費用で製造し、家屋への装着をすることができる。
【図面の簡単な説明】
【００２６】
【図１】鼠侵入防止器具の説明図である（実施例１）。
【図２】円筒形状の竪樋に配管類用部材を取付けた説明図である（実施例１）。
【図３】鼠侵入防止器具の説明図である（実施例２）。
【図４】一般的な住宅の概略図である。
【考案を実施するための形態】
【００２７】
本考案に係わる鼠侵入防止器具の実施の形態について、図１〜図４を用いて詳細に説明する。以下の実施例では図４に示されるように、鼠が、住宅１０の壁面５や竪樋２などの部分を駆け上がって、図示されていない家屋内の通気用空間に侵入する場合についての詳細な説明をしている。
【００２８】
一般的な住宅１０に使用されている竪樋２は、屋根１に落ちた雨水を軒樋３を経由して図示されていない地下の排水溝に排出する役割をしている。竪樋２には、銅製の管や茶色又は黒色をした樹脂製の管などが使用されており、時間の経過とともに風雨にさらされて次第に表面がすべりにくくなっていくことが知られている。なお、竪樋２は、図示されていない複数個の固定具によって住宅１０の壁面５に固定されている。
【００２９】
なお、本実施例では、鼠が竪樋２を駆け上がる場合についての詳細な説明をしているが、鼠がエアコンの冷媒用配管などの配管類を駆け上がって通気用空間に侵入するような場合についても同様に扱うことができる。
【実施例１】
【００３０】
（鼠の行動の詳細な観察結果）
本考案者は、鼠の行動についての詳細な実験や観察をした。住宅１０の周囲にあらかじめ小麦粉を付着させておいたところ、２つの壁面５が交わる角壁７の部分と、竪樋２の部分と、竪樋２の背後の壁面５の部分のみに小麦粉の付着状況の変化が認められた。
【００３１】
すなわち、鼠は、２つの壁面５が交わる角壁７の部分、竪樋２の部分又は竪樋２の背後の壁面５の部分のいずれかから家屋内の通気用空間に侵入していることを突き止めることができた（図４）。
【００３２】
また、小麦粉の付着状況の変化から、鼠が通気用空間に侵入する際には、最初に地面から数１０センチメートル〜１メートル弱のジャンプをして角壁７や竪樋２又はそれらの近傍の壁面５の部分に飛び移り、そのまま駆け上がっていくらしいことも推測することができた。
【００３３】
これらの観察結果から、鼠が到底ジャンプできない程度の位置、すなわち、地面から約１メートル、より好ましくは地面から約１．５メートル以上の角壁７の部分、竪樋２の周囲の部分や背後の壁面５の部分を滑りやすくしておけば、鼠は家屋に侵入できないと想定された。
（鼠侵入防止器具の概要）
上述した観察結果から、本考案者は、鼠がジャンプできない程度の位置として、上端が地面から約１．５メートルの角壁７の部分と、竪樋２の周囲や背後の壁面５の部分とに滑りやすい材料である金属板を貼り付けて設けるようにした（図１、４）。以下の実施例では金属板として、滑りやすく、耐久性に優れ、メンテナンスも不要な材料である厚みが０．３ｍｍのステンレス鋼板を用いることにした。
（角壁用部材）
２つの壁面５が交わる部分（以下において、角壁７という（図４）。）には、角壁用部材１６を設けるようにした。この角壁用部材１６は、高さ方向の寸法が約２３０ｍｍ、横方向の寸法が６００ｍｍ、厚みが０．３ｍｍのステンレス鋼板であり、略中央部分（横方向に約３００ｍｍ付近の部分）を「くの字状」にほぼ直角に折り曲げたものを、上端が地面から約１．５メートルの位置に接着剤を用いて角壁７の部分に貼り付けて固定するようにした。なお、接着剤としては、接着強度や耐久性の点からゴム系のものの使用が適している。
（配管類用部材）
竪樋１４ａの周囲部分には、配管類用部材１２を設けるようにした。この配管類用部材１２は、高さ方向の寸法が約２００ｍｍ、厚みが０．３ｍｍのステンレス鋼板を円筒形状をした竪樋１４ａの形状に折曲げ加工をした後に、上端が地面から約１．５メートルの位置に、ゴム系の接着剤１５を用いて竪樋１４ａの周囲に貼り付けて固定するようにした（図１、２）。
（壁用部材）
配管類用部材１２が設けられている竪樋１４ａ背後の壁面５部分には、壁用部材１３ａを設けるようにした（図１）。この壁用部材１３ａは、高さ方向の寸法が約２３０ｍｍ、横方向の寸法が３５０ｍｍ、厚みが０．３ｍｍのステンレス鋼板を、上端が地面から約１．５メートルの位置に、上述した接着剤１５を用いて壁面５に貼り付けて固定するようにした。
【００３４】
すなわち、鼠侵入防止器具１１として、それぞれの上端が地面から１．５メートル付近の角壁７には角壁用部材１６を、竪樋１４ａの周囲部分には配管類用部材１２を、配管類用部材１２が設けられている竪樋１４ａ背後の壁面５部分には壁用部材１３ａをそれぞれ設けるようにした。
（鼠侵入防止器具の設置結果）
この鼠侵入防止器具１１を住宅１０に取付けたところ、鼠が家屋内の通気用空間に侵入するのを完全に防止することができた。角壁７の部分と、竪樋１４ａの周囲部分と、竪樋１４ａ背後の壁面５部分のそれぞれを滑りやすくすることによって、鼠はこの部分を駆け上がることができなくなるためと考えられる。
【００３５】
実施例１では、配管類用部材１２や壁用部材１３ａに用いられている滑りやすい金属板として、耐久性に優れ、メンテナンスも不要なステンレス鋼板を用いているが、チタン合金やアルミニウム合金などの金属板を用いることもできる。また、実施例１では、竪樋１４ａとして断面が円筒形状のものに使用した例を示しているが、竪樋の断面が矩形状をした場合でも同様に扱うことができる。
【００３６】
なお、時間の経過とともに角壁用部材１６や、配管類用部材１２及び壁用部材１３ａの表面に塵や埃などが付着して、次第にその表面が滑りにくくなっていく。そこで、現段階において鼠の侵入は起こってはいないものの、定期的に角壁用部材１６や、配管類用部材１２及び壁用部材１３ａの表面の汚れを除去するとともに、それぞれの表面に自動車用ワックスなどを塗布しておき、常に滑りやすい状態にしておくことが好ましいといえる。
【００３７】
上述したように、本考案の鼠侵入防止器具１１を用いると、鼠の侵入を完全に防止することができるとともに、住民にとって怪我をするおそれもなく安全な構造であり、家屋への装着も容易であり、外観上も好ましい構造となっている。
【００３８】
また、本考案の鼠侵入防止器具１１は、メンテナンスが容易であることや、取り扱いが極めて便利であるという利点も有している。加えて、本考案に係わる侵入防止器具１１は、構造が簡単であり部品数も少ないことから、安価な費用で製造し、建物への装着も容易にすることができる。
【実施例２】
【００３９】
実施例２の鼠侵入防止器具１１として、配管類用部材１２は実施例１と同一のものを用いるとともに、角壁用部材１６と壁用部材１３ａにはステンレス鋼板に替えて、ガラス板を用いるようにした（図１）。すなわち、鼠侵入防止器具１１として、上端が地面から１．５メートル付近の角壁用部材１６と竪樋１４ａの背後の壁面５部分には、実施例１と同一寸法のガラス板を設けるようにした。
【００４０】
角壁用部材１６や壁用部材１３ｂとしてガラス板を用いた場合でも、鼠の侵入を完全に防止することができることがわかった。また、これらの部分にガラス板を用いると、ステンレス鋼板を用いた場合のように凹面鏡になる場合は考えにくく、太陽の反射光によって火災を起こす可能性もない。
【００４１】
なお、実施例１と同様に、定期的にステンレス鋼板製の配管類用部材１２や、ガラス板製の角壁用部材１６や壁用部材１３ｂの表面の汚れを除去するとともに、それぞれの表面に自動車用ワックスなどを塗布することによって、常に表面を滑りやすくしておくことが好ましいといえる。
【実施例３】
【００４２】
実施例３の鼠侵入防止器具１１として、実施例２との相違点を説明する。実施例３では、竪樋の上方部分には従来から使用されている樹脂製の竪樋１４ａを用い、その下方の部分にはステンレス鋼板を丸めて円筒状の竪樋にしたもの（竪樋１４ｂ）を、それぞれ連結させて用いるようにした。
【００４３】
すなわち、実施例１及び実施例２に記載した配管類用部材１２に替えて、地面から約１．５メートルまでの竪樋１４ｂとして、厚みが０．３ｍｍのステンレス鋼板を丸めて円筒状にしたものを用い、それよりも上の部分は従来から使用されている樹脂製の竪樋１４ａを用いるようにした。
【００４４】
ここで、上述したような金属板を用いた配管類用部材１２という用語には、実施例３に示されるようなステンレス鋼板を丸めて円筒状に加工した竪樋１４ｂについても含まれている。
【００４５】
鼠が到底ジャンプできない程度の高さである地面から約１．５メートルまでの部分を滑りやすい金属であるステンレス鋼板を丸めて円筒状にしたものを竪樋１４ｂとして用いることにした。そして、この場合でも家屋への鼠の侵入を完全に防止することができた。
【００４６】
なお、実施例１又は実施例２と同様に、定期的にステンレス鋼板製の配管類用部材１２や、ガラス板製の角壁用部材１６と壁用部材１３ｂの表面の汚れを除去するとともに、それぞれの表面に自動車用ワックスなどを塗布することによって、常に表面を滑りやすくしておくことが好ましいといえる。
【００４７】
上述したように、本考案の鼠侵入防止器具１１を用いると、鼠の侵入を完全に防止することができる。さらに、本考案の鼠侵入防止器具１１は、住民が怪我をするおそれもなく安全な構造であり、装着も容易であり、外観上も好ましい構造である。
【００４８】
加えて、本考案に係わる鼠侵入防止器具１１は、構造が簡単であり、部品数も少ないので、安価な費用で製造することができ、建物への装着も容易な形状となっている。
【産業上の利用可能性】
【００４９】
本考案は、鼠が、地面から家屋の壁面や配管類を駆け上がって家屋内の通気用空間に侵入するのを防止するための鼠侵入防止器具に利用することができる。
【符号の説明】
【００５０】
１    屋根
２    竪樋
３    軒樋
５    壁面
６    地面
７    角壁
１０    住宅
１１    鼠侵入防止器具
１２    配管類用部材
１３ａ    壁用部材（ステンレス鋼板製）
１３ｂ    壁用部材（ガラス板製）
１４ａ    竪樋（樹脂製）
１４ｂ    竪樋（ステンレス鋼板製）
１５    接着剤
１６    角壁用部材
【図１】
0003168481.tif 000003
【図２】
0003168481.tif 000004
【図３】
0003168481.tif 000005
【図４】
0003168481.tif 000006
【手続補正書】
【提出日】平成23年3月31日(2011.3.31)
【手続補正１】
【補正対象書類名】実用新案登録請求の範囲
【補正対象項目名】全文
【補正方法】変更
【補正の内容】
【実用新案登録請求の範囲】
【請求項１】
鼠が、地面から家屋の壁面や配管類を駆け上がり、家屋内の通気用空間への侵入を防止するための鼠侵入防止器具であって、
前記壁面が交わる角壁部分には、金属板を用いたくの字状の角壁用部材と、
前記配管類の周囲部分には、金属板を前記配管類の形状に加工した配管類用部材と、
前記配管類の背後の壁面部分には、金属板を用いた壁用部材とを含む
ことを特徴とする鼠侵入防止器具。
【請求項２】
鼠が、地面から家屋の壁面や配管類を駆け上がり、家屋内の通気用空間への侵入を防止するための鼠侵入防止器具であって、
前記壁面が交わる角壁部分には、ガラス板を用いたくの字状の角壁用部材と、
前記配管類の周囲部分には、金属板を前記配管類の形状に加工した配管類用部材と、
前記配管類の背後の壁面部分には、ガラス板を用いた壁用部材とを含む
ことを特徴とする鼠侵入防止器具。
【請求項３】
前記金属板は、ステンレス鋼板である
ことを特徴とする請求項１又は請求項２記載の鼠侵入防止器具。
【請求項４】
前記角壁用部材、前記配管類用部材及び前記壁用部材は、それぞれの上端が地面から約１メートル以上の位置に設けられている
ことを特徴とする請求項１、請求項２又は請求項３記載の鼠侵入防止器具。
【請求項５】
前記角壁用部材、前記配管類用部材及び前記壁用部材は、それぞれの上端が地面から約１．５メートル以上の位置に設けられている
ことを特徴とする請求項１、請求項２又は請求項３記載の鼠侵入防止器具。